【手続補正書】
【提出日】平成22年5月25日(2010.5.25)
【手続補正１】
【補正対象書類名】特許請求の範囲
【補正対象項目名】全文
【補正方法】変更
【補正の内容】
【特許請求の範囲】
【請求項１】
発信源装置、送り先装置及び中間装置を有し、前記発信源装置及び前記送り先装置は前記中間装置を介して情報を送信及び受信するよう配置され、少なくとも前記発信源装置は無線通信システムへ接続するためにネットワークエントリ処理を実行するよう配置される前記無線通信システムにおける方法であって、
前記中間装置は、前記発信源装置から送信されたレンジングコードを検出し、該レンジングコードについての処理に必要とされる情報を前記送り先装置に要求し、
前記発信源装置の送信について行われるべき調整がある場合は、該調整情報を前記発信源装置に送信し、前記発信源装置の送信についての調整が十分である場合は、前記送り先装置に対して、以降のネットワークエントリを行う際に必要な情報をリクエストするメッセージを送信する、
ことを特徴とする方法。
【請求項２】
前記調整が十分である場合に、前記発信源装置に対して、レンジング試行が成功した旨の通知を行う、ことを特徴とする請求項１記載の方法。
【請求項３】
前記レンジング試行が成功した後、前記中間装置は前記発信源装置とともに前記ネットワークエントリ処理の残りの処理を管理する、ことを特徴とする請求項１記載の方法。
【請求項４】
前記送り先装置から前記中間装置への返信メッセージは、前記接続がサポートされ得るかどうかを前記中間装置に通知する、ことを特徴とする請求項１記載の方法。
【請求項５】
前記送り先装置から前記中間装置への返信メッセージは、前記中間装置を介して前記発信源装置が利用可能な接続形式及び／又はサービスレベルを前記中間装置に通知する、ことを特徴とする請求項１記載の方法。
【請求項６】
前記中間装置は、前記返信メッセージから得られる情報を前記発信源装置へ送信する、ことを特徴とする請求項４又は５記載の方法。
【請求項７】
前記中間装置は、前記ネットワークエントリ処理を続けるべきかどうかを判断するために前記返信メッセージを使用する、ことを特徴とする請求項４記載の方法。
【請求項８】
前記中間装置は、前記発信源装置からの特定の情報を要求するために前記返信メッセージを使用する、ことを特徴とする請求項４記載の方法。
【請求項９】
前記中間装置は、前記発信源装置と前記送り先装置との間にマルチホップ構造で配置される複数の中継局によって構成され、
前記複数の中継局のうちの第１の中継局は、前記発信源装置による前記ネットワークエントリ処理の開始を検出し、前記送り先装置へ送信するために前記複数の中継局のうちの他の中継局へ前記通知を中継する、ことを特徴とする請求項１記載の方法。
【請求項１０】
発信源装置、送り先装置及び中間装置を有し、前記発信源装置及び前記送り先装置は前記中間装置を介して情報を送信及び受信するよう配置され、少なくとも前記発信源装置は無線通信システムへ接続するためにネットワークエントリ処理を実行するよう配置される無線通信システムであって、
前記中間装置は、前記発信源装置から送信されたレンジングコードを検出する検出手段と、
該レンジングコードについての処理に必要とされる情報を前記送り先装置に要求する要求手段と、
前記発信源装置の送信について行われるべき調整がある場合は、該調整情報を前記発信源装置に送信し、前記発信源装置の送信についての調整が十分である場合は、前記送り先装置に対して、以降のネットワークエントリを行う際に必要な情報をリクエストするメッセージを送信する送信手段とを備え、
前記発信源装置は、前記レンジングコードを送信する手段と、
前記調整情報を受信する受信手段とを備え、
前記送り先装置は、前記処理に必要とされる情報を含む返信メッセージ及び前記以降のネットワークエントリを行う際に必要な情報を含む返信メッセージを前記中間装置に返送する送信手段と備える、
ことを特徴とする無線通信システム。
【請求項１１】
前記送り先装置の返信手段は、前記接続がサポートされ得るかどうかを前記中間装置に通知するために前記中間装置へ前記返信メッセージを送信する、ことを特徴とする請求項１０記載の無線通信システム。
【請求項１２】
前記送り先装置の返信手段は、前記中間装置を介して前記発信源装置が利用可能な接続形式及び／又はサービスレベルを前記中間装置に通知するために前記返信メッセージを送信する、ことを特徴とする請求項１０記載の無線通信システム。
【請求項１３】
前記中間装置の前記送信手段は、前記返信メッセージから得られる情報を前記発信源装置へ送信する、ことを特徴とする請求項１０記載の無線通信システム。
【請求項１４】
中間装置を介して情報を送信及び受信する発信源装置及び送り先装置を有し、前記発信源装置が無線通信システムへ接続するためにネットワークエントリ処理が実行される前記無線通信システムにおいて使用される中間装置であって、
前記発信源装置から送信されたレンジングコードを検出する検出手段と、
該レンジングコードについての処理に必要とされる情報を前記送り先装置に要求する要求手段と、
前記発信源装置の送信について行われるべき調整がある場合は、該調整情報を前記発信源装置に送信し、前記発信源装置の送信についての調整が十分である場合は、前記送り先装置に対して、以降のネットワークエントリを行う際に必要な情報をリクエストするメッセージを送信する送信手段と
を備えることを特徴とする中間装置。
【請求項１５】
前記発信源装置及び前記送り先装置とともに２ホップ構造での使用のための単一中継局の形をとる、ことを特徴とする請求項１４記載の中間装置。
【請求項１６】
前記発信源装置と前記送り先装置との間でマルチホップ構造での使用のための複数の中継局の形をとり、夫々の中継局は前記要求手段及び前記送信手段を有し、
各中継局は、前記複数の中継局のうちの他の中継局からの通知に応答し、もしあれば、前記ネットワークエントリ処理が前記発信源装置によって開始されていることを前記送り先装置又は上流の中継局に通知し、
前記上流の中継局を介して受信される応答に応答して、もしあれば、前記応答に含まれる情報を用いることによって前記発信源装置とともに前記ネットワークエントリ処理を完了し、あるいは、もしあれば下流の中継局へ前記情報を送る、ことを特徴とする請求項１４記載の中間装置。
【請求項１７】
中間装置を介して情報を送信及び受信するよう夫々配置される加入者設備及び基地局を有し、前記加入者設備が無線通信システムへ接続するためにネットワークエントリ処理が実行される前記無線通信システムにおいて前記中間装置によって実行される場合に、前記中間装置に、
前記発信源装置から送信されたレンジングコードを検出する検出手段、
該レンジングコードについての処理に必要とされる情報を前記送り先装置に要求する要求手段、及び
前記発信源装置の送信について行われるべき調整がある場合は、該調整情報を前記発信源装置に送信し、前記発信源装置の送信についての調整が十分である場合は、前記送り先装置に対して、以降のネットワークエントリを行う際に必要な情報をリクエストするメッセージを送信する送信手段
の機能を提供するコンピュータプログラムを記憶するコンピュータ読取可能な記録媒体。
【手続補正２】
【補正対象書類名】明細書
【補正対象項目名】００７７
【補正方法】変更
【補正の内容】
【００７７】
【図１】単一セル２ホップ無線通信システムを示す。
【図２ａ】中継局ＲＳの応用を示す。
【図２ｂ】中継局ＲＳの応用を示す。
【図３】標準的なＭＳネットワークエントリ手順を示す。
【図４】本発明を具体化する中継可能ネットワークにおけるＭＳレンジング処理の間のＲＳ管理手順を示す。
【手続補正３】
【補正対象書類名】図面
【補正対象項目名】全図
【補正方法】変更
【補正の内容】
【図１】
2008067386.tif 000001
【図２ａ】
2008067386.tif 000002
【図２ｂ】
2008067386.tif 000003
【図３】
2008067386.tif 000004
【図４】
2008067386.tif 000005